(57)【要約】【課題】異なる着座位置に着座する着座者に対してスピーカからの音をバランスよく分配することができるスピーカグリルを提供する。【解決手段】本スピーカグリルは、車両内装品（ドアトリム２）に取り付けられ、スピーカ３からの音を所定方向に指向させる開口部を有するスピーカグリル１であって、開口部は、スピーカからの音を第１方向Ｄ１に指向させる第１開口部５と、スピーカ３からの音を第１方向Ｄ１と異なる第２方向Ｄ２に指向させる第２開口部６と、を備える。【選択図】図２
2013183372.tif 000002
【特許請求の範囲】
【請求項１】
車両内装品に取り付けられ、スピーカからの音を所定方向に指向させる開口部を有するスピーカグリルであって、
前記開口部は、前記スピーカからの音を第１方向に指向させる第１開口部と、前記スピーカからの音を前記第１方向と異なる第２方向に指向させる第２開口部と、を備えることを特徴とするスピーカグリル。
【請求項２】
前記第１方向及び前記第２方向は、前記スピーカグリルの縦断面における前記スピーカグリルの厚さ方向に対する傾斜角度が異なっている請求項１記載のスピーカグリル。
【請求項３】
前記第１方向及び前記第２方向は、前記スピーカグリルの横断面における前記スピーカグリルの厚さ方向に対する傾斜角度が異なっている請求項１又は２に記載のスピーカグリル。
【請求項４】
前記第１開口部及び前記第２開口部のそれぞれの開口総面積が異なっている請求項１乃至３のいずれか一項に記載のスピーカグリル。
【発明の詳細な説明】
【技術分野】
【０００１】
本発明は、スピーカグリルに関し、更に詳しくは、異なる着座位置に着座する着座者に対してスピーカからの音をバランスよく分配することができるスピーカグリルに関する。
【背景技術】
【０００２】
従来のスピーカグリルとして、ドアトリムに取り付けられ、スピーカからの音を所定方向に指向させる開口部を有するものが知られている（例えば、特許文献１参照）。この特許文献１には、スピーカからの音を一方向のみに指向させる開口部を有するスピーカグリルが開示されている。
【０００３】
しかし、上記特許文献１の技術では、開口部がスピーカからの音を一方向のみに指向させるため、例えば、運転席に着座する着座者と助手席に着座する着座者とにスピーカからの音をバランスよく分配することができない。
【先行技術文献】
【特許文献】
【０００４】
【特許文献１】特開平９−５１５９４号公報
【発明の概要】
【発明が解決しようとする課題】
【０００５】
本発明は、上記現状に鑑みてなされたものであり、スピーカからの音を異なる着座位置に着座する着座者に対してバランスよく分配することができるスピーカグリルを提供することを目的とする。
【課題を解決するための手段】
【０００６】
上記問題を解決するために、請求項１に記載の発明は、車両内装品に取り付けられ、スピーカからの音を所定方向に指向させる開口部を有するスピーカグリルであって、前記開口部は、前記スピーカからの音を第１方向に指向させる第１開口部と、前記スピーカからの音を前記第１方向と異なる第２方向に指向させる第２開口部と、を備えることを要旨とする。
請求項２に記載の発明は、請求項１記載において、前記第１方向及び前記第２方向は、前記スピーカグリルの縦断面における前記スピーカグリルの厚さ方向に対する傾斜角度が異なっていることを要旨とする。
請求項３に記載の発明は、請求項１又は２記載において、前記第１方向及び前記第２方向は、前記スピーカグリルの横断面における前記スピーカグリルの厚さ方向に対する傾斜角度が異なっていることを要旨とする。
請求項４に記載の発明は、請求項１乃至３のいずれか一項に記載において、前記第１開口部及び前記第２開口部のそれぞれの開口総面積が異なっていることを要旨とする。
【発明の効果】
【０００７】
本発明のスピーカグリルによると、開口部は、スピーカからの音を第１方向に指向させる第１開口部と、スピーカからの音を第１方向と異なる第２方向に指向させる第２開口部と、を備えるので、第１開口部及び第２開口部によりスピーカからの音が第１方向と第２方向とに分配される。よって、異なる着座位置に着座する着座者に対してスピーカからの音をバランスよく分配することができる
また、前記第１方向及び前記第２方向は、前記スピーカグリルの縦断面における前記スピーカグリルの厚さ方向に対する傾斜角度が異なっている場合は、スピーカからの音は、スピーカグリルの縦方向の傾斜角度が異なる方向に分配される。
また、前記第１方向及び前記第２方向は、前記スピーカグリルの横断面における前記スピーカグリルの厚さ方向に対する傾斜角度が異なっている場合は、スピーカからの音は、スピーカグリルの横方向の傾斜角度が異なる方向に分配される。
さらに、前記第１開口部及び前記第２開口部のそれぞれの開口総面積が異なっている場合は、一方の開口部からは比較的小音が発せられ、他方の開口部からは比較的大音が発せられ、スピーカからの距離が異なる着座位置に着座する着座者に対して略同じ音量の音を分配できる。よって、スピーカからの音を更にバランスよく分配できる。
【図面の簡単な説明】
【０００８】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るスピーカグリル（ドアトリムに取り付けられた状態）の斜視図である。
【図２】上記スピーカグリルの正面図であるである。
【図３】図２のＩＩＩ−ＩＩＩ線断面図である。
【図４】図２のＩＶ−ＩＶ線断面図である。
【図５】上記スピーカグリルの作用を説明するための説明図であり、（ａ）は車両シートを正面から見た状態を示し、（ｂ）は車両シートを平面から見た状態を示す。
【発明を実施するための形態】
【０００９】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１０】
１．スピーカグリル
本実施形態１．に係るスピーカグリルは、車両内装品（２）に取り付けられ、スピーカ（３）からの音を所定方向に指向させる開口部を有するスピーカグリル（１）であって、開口部は、スピーカ（３）からの音を第１方向（Ｄ１）に指向させる第１開口部（５）と、スピーカ（３）からの音を第１方向（Ｄ１）と異なる第２方向（Ｄ２）に指向させる第２開口部（６）と、を備えることを特徴とする（例えば、図２〜図４等参照）。なお、上記第１方向（Ｄ１）は、通常、貫通穴形の第１開口部（５）の中心軸と略一致する方向である。また、上記第２方向（Ｄ２）は、通常、貫通穴形の第２開口部（６）の中心軸と略一致する方向である。
【００１１】
本実施形態１．に係るスピーカグリルとしては、例えば、〔Ａ〕上記第１方向（Ｄ１）及び第２方向（Ｄ２）は、スピーカグリル（１）の縦断面におけるスピーカグリル（１）の厚さ方向に対する傾斜角度（Ａ１、Ａ２）が異なっている形態（例えば、図３等参照）、〔Ｂ〕上記第１方向（Ｄ１）及び第２方向（Ｄ２）は、スピーカグリル（１）の横断面におけるスピーカグリル（１）の厚さ方向に対する傾斜角度（Ｂ１、Ｂ２）が異なっている形態（例えば、図４等参照）等を挙げることができる。なお、上記縦断面及び横断面は、通常、略直交する面である。
【００１２】
上記第１方向（Ｄ１）の傾斜角度（Ａ１）としては、例えば、０〜８０度（好ましくは０〜７０度）を挙げることができる。また、上記第２方向（Ｄ２）の傾斜角度（Ａ２）としては、例えば、０〜８０度（好ましくは０〜７０度）を挙げることができる。なお、上記傾斜角度（Ａ１）は、通常、傾斜角度（Ａ２）より大きい。また、上記第１方向（Ｄ１）の傾斜角度（Ｂ１）としては、例えば、０〜８０度（好ましくは０〜７０度）を挙げることができる。さらに、上記第２方向（Ｄ２）の傾斜角度（Ｂ２）としては、例えば、０〜８０度（好ましくは０〜７０度）を挙げることができる。
【００１３】
本実施形態１．に係るスピーカグリルとしては、例えば、上記第１開口部（５）及び第２開口部（６）のそれぞれの開口総面積（Ｓ１、Ｓ２）は異なっている形態（例えば、図２等参照）を挙げることができる。これら第１開口部（５）の開口総面積（Ｓ１）と第２開口部（６）の開口総面積（Ｓ２）の比（Ｓ２／Ｓ１）としては、例えば、１〜１００（好ましくは１〜１０）を挙げることができる。なお、上記「開口総面積」とは、スピーカグリルの音が発せられる表面の開口面積の総和を意図する。
【実施例】
【００１４】
以下、図面を用いて実施例により本発明を具体的に説明する。なお、図面において、車両の前後方向を「前側」及び「後側」として示し、車両の上下方向を「上側」及び「下側」として示す。
【００１５】
（１）スピーカグリルの構成
本実施例に係るスピーカグリル１は、図１に示すように、ドアトリム２（本発明に係る「車両内装品」として例示する。）の前側下部に縦向きに取り付けて使用される。なお、本実施例では、ドアトリム２として車両の運転席４ａ又は助手席４ｂの側方に配設されるものを例示する（図５参照）。
【００１６】
上記スピーカグリル１は、図２〜図４に示すように、ドアトリム２に設けられた単一のスピーカ３（図３及び図４参照）の前面を覆うように円盤状に形成されている。このスピーカグリル１には、その上部の領域Ｒ１（図２参照）に複数（図中８つ）の第１開口部５が貫通して形成され、その下部の領域Ｒ２（図２参照）に複数（図中１８つ）の第２開口部６が貫通して形成されている。
【００１７】
上記各第１開口部５は、スピーカ３からの音を第１方向Ｄ１に指向させるように直線状に延びる穴形に形成されている。この第１方向Ｄ１は、第１開口部５の中心軸と略一致する方向であり、スピーカ３近傍の着座位置（運転席４ａ又は助手席４ｂ）に着座する着座者に指向している（図５参照）。また、上記各第２開口部６は、スピーカ３からの音を第１方向Ｄ１と異なる第２方向Ｄ２に指向させるように直線状に延びる穴形に形成されている。この第２方向Ｄ２は、第２開口部６の中心軸と略一致する方向であり、スピーカ３遠方の着座位置（助手席４ｂ又は運転席４ａ）に着座する着座者に指向している（図５参照）。
【００１８】
上記スピーカグリル１の縦断面において、第１方向Ｄ１のスピーカグリル１の厚さ方向に対する傾斜角度Ａ１は約５０度とされ、第２方向Ｄ２のスピーカグリル１の厚さ方向に対する傾斜角度Ａ２は約３０度とされている（図３及び図５（ａ）参照）。また、スピーカグリル１の横断面において、第１方向Ｄ１のスピーカグリル１の厚さ方向に対する傾斜角度Ｂ１は約４０度とされ、第２方向Ｄ２のスピーカグリル１の厚さ方向に対する傾斜角度Ｂ２は約２０度とされている（図４及び図５（ｂ）参照）。
【００１９】
ここで、上記第１開口部５及び第２開口部６の設定個数を異ならせることにより、第１開口部５の開口総面積Ｓ１と第２開口部６の開口総面積Ｓ２とが異なっている。具体的には、各開口総面積Ｓ１、Ｓ２を音の伝播距離の２乗に比例させている。例えば、スピーカ３からスピーカ３近傍の着座位置までの距離Ｌ１（図５参照）とスピーカ３からスピーカ３遠方の着座位置までの距離Ｌ２（図５参照）との比（Ｌ２／Ｌ１）を１．５とすると、各開口総面積の比（Ｓ２／Ｓ１）は２．２５となる。
【００２０】
（２）スピーカグリルの作用
次に、上記構成のスピーカグリル１の作用について説明する。図５に示すように、スピーカ３からの音は、第１開口部５によりスピーカ３近傍の着座位置（運転席４ａ又は助手席４ｂ）に着座する着座者に分配されるとともに、第２開口部６によりスピーカ３遠方の着座位置（助手席４ｂ又は運転席４ａ）に着座する着座者に分配される。このとき、第１開口部５の開口総面積Ｓ１は第２開口部６の開口総面積Ｓ２より小さいため、第１開口部５からは比較的小音が発せられ、第２開口部６からは比較的大音が発せられ、運転席４ａ又は助手席４ｂに着座する着座者に対して略同じ音量の音が分配される。
【００２１】
（３）実施例の効果
以上より、本実施例のスピーカグリル１によると、スピーカ３からの音を第１方向Ｄ１に指向させる第１開口部５と、スピーカ３からの音を第１方向Ｄ１と異なる第２方向Ｄ２に指向させる第２開口部６と、を備えるので、第１開口部５及び第２開口部６によりスピーカ３からの音が第１方向Ｄ１と第２方向Ｄ２とに分配される。よって、異なる着座位置に着座する着座者に対してスピーカ３からの音をバランスよく分配することができる
【００２２】
また、本実施例では、第１方向Ｄ１及び第２方向Ｄ２は、スピーカグリル１の縦断面におけるスピーカグリル１の厚さ方向に対する傾斜角度Ａ１、Ａ２が異なっているので、スピーカ３からの音は、スピーカグリル１の縦方向の傾斜角度Ａ１、Ａ２が異なる方向Ｄ１、Ｄ２に分配される。さらに、本実施例では、第１方向Ｄ１及び第２方向Ｄ２は、スピーカグリル１の横断面におけるスピーカグリル１の厚さ方向に対する傾斜角度Ｂ１、Ｂ２が異なっているので、スピーカ３からの音は、スピーカグリル１の横方向の傾斜角度が異なる方向Ｄ１、Ｄ２に分配される。
【００２３】
さらに、本実施例では、第１開口部５及び第２開口部６のそれぞれの開口総面積Ｓ１、Ｓ２が異なっているので、一方の開口部５からは比較的小音が発せられ、他方の開口部６からは比較的大音が発せられ、スピーカ３からの距離が異なる着座位置に着座する着座者に対して略同じ音量の音を分配できる。よって、スピーカ３からの音を更にバランスよく分配できる。
【００２４】
さらに、本実施例では、ドアトリム２に縦向きに取り付けられ、第１方向Ｄ１の傾斜角度Ａ１が第２方向Ｄ２の傾斜角度Ａ２より大きく、第１開口部５が第２開口部６より上側に位置して設けられているので、第１開口部５からの音と第２開口部６からの音との干渉が抑制される。
【００２５】
尚、本発明においては、上記実施例に限られず、目的、用途に応じて本発明の範囲内で種々変更した実施例とすることができる。即ち、上記実施例では、ドアトリム２に取り付けられるスピーカグリル１を例示したが、これに限定されず、例えば、ピラー、インストルパネル、天井ルーフ等の車両内装材に取り付けられるスピーカグリルとしてもよい。
【００２６】
また、上記実施例では、車両の１列目の前部座席における異なる着座位置に着座する着座者に音を分配するスピーカグリル１を例示したが、これに限定されず、例えば、車両の２列目、３列目等の後部座席における異なる着座位置に着座する着座者に音を分配するスピーカグリルとしてもよい。
【００２７】
また、上記実施例では、２つの異なる方向Ｄ１、Ｄ２に音を分配するスピーカグリル１を例示したが、これに限定されず、例えば、３つ以上の異なる方向に音を分配するスピーカグリルとしてもよい。なお、上記第１及び第２方向Ｄ１、Ｄ２の傾斜角度Ａ１、Ａ２、Ｂ１、Ｂ２等の値は、スピーカグリルの取付位置等に応じて適宜選択できる。
【００２８】
また、上記実施例では、直線状に延びる貫通穴形の開口部５、６を例示したが、これに限定されず、例えば、湾曲状、屈曲状に延びる貫通穴形の開口部としてもよい。また、上記実施例では、貫通方向に一様な断面形状を有する開口部５、６を例示したが、これに限定されず、例えば、貫通方向に沿って広がる又は狭まる開口部としてもよい。
【００２９】
さらに、上記実施例では、横長穴形の開口形状を有する開口部５、６を例示したが、これに限定されず、例えば、円形、多角形、異形等の開口形状を有する開口部としてもよい。なお、上記開口部５，６の各開口総面積Ｓ１等の値は、スピーカグリルの取付位置等に応じて適宜選択できる。
【００３０】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにける開示事項に限定することを意図するものではなく、むしろ、本発明は添付の特許請求の範囲内における、機能的に同等の構造、方法、使用の全てに及ぶものとする。
【００３１】
本発明は上記で詳述した実施形態に限定されず、本発明の請求項に示した範囲で様々な変形または変更が可能である。
【産業上の利用可能性】
【００３２】
スピーカからの音を所定方向に指向させるスピーカグリルとして広く利用される。
【符号の説明】
【００３３】
１；スピーカグリル、２；ドアトリム、３；スピーカ、５；第１開口部、６；第２開口部、Ｄ１；第１方向、Ｄ２；第２方向、Ａ１、Ａ２、Ｂ１、Ｂ２；傾斜角度。
【図１】
2013183372.tif 000003
【図２】
2013183372.tif 000004
【図３】
2013183372.tif 000005
【図４】
2013183372.tif 000006
【図５】
2013183372.tif 000007